(57)【要約】【課題】扉体を閉じる際に、扉体の戸尻と扉枠の戸当たり部との間に指や物が挟まりにくくできるとともに強く挟まるのを防止でき、扉体の戸先が閉じた状態でも通風性を確保できる扉装置を提供する。【解決手段】ヒンジ14により、扉枠12に対して扉体13の戸尻13aを回動可能に支持する。ヒンジ14により、扉体13の戸先を扉枠12の扉体収容凹部23に収容している状態で、扉体13の戸尻13aが扉枠12の扉体収容凹部23の外側のシフト位置S2へシフトするのを許容する。ヒンジ14により、扉体13の戸尻13aがシフト位置にある状態で、扉体13の戸先が扉枠12の扉体収容凹部23に対して開閉するのを許容する。扉体13を閉じる際、扉体13の戸尻13aと扉枠12の戸当たり部24との間に隙間64を形成する。扉体13の戸先が閉じた状態でも、隙間64で通風性を確保する。【選択図】図１
2011038309.tif 000002
【特許請求の範囲】
【請求項１】
内側域に開口部を有し、一面側に開口する扉体収容凹部が形成されているとともにこの扉体収容凹部の他面側に戸当たり部が形成されている扉枠と、
この扉枠の扉体収容凹部に収容されて前記扉枠の開口部を閉鎖する扉体と、
前記扉枠に対して前記扉体の戸尻を回動可能に支持し、前記扉体の戸先が前記扉枠の扉体収容凹部に収容されている状態で前記扉体の戸尻が前記扉枠の扉体収容凹部の外側のシフト位置へシフトするのを許容するとともに、前記扉体の戸尻が前記シフト位置にある状態で前記扉体の戸先が前記扉枠の扉体収容凹部に対して開閉するのを許容するヒンジと
を具備していることを特徴とする扉装置。
【請求項２】
前記ヒンジは、前記扉枠に取り付けられる固定側ヒンジ部、および一端が前記固定側ヒンジ部に対して第１のヒンジ軸によって回動可能に支持されるとともに他端が前記扉体の戸尻に第２のヒンジ軸によって回動可能に支持される回動側ヒンジ部を有し、前記扉体の戸尻を前記シフト位置へシフト可能とする
ことを特徴とする請求項１記載の扉装置。
【請求項３】
前記扉体を閉じるときには、前記扉体の戸尻を前記シフト位置へシフトさせておくシフト手段を具備している
ことを特徴とする請求項２記載の扉装置。
【請求項４】
前記シフト手段は、前記ヒンジの第１のヒンジ軸に対する前記扉体の回動抵抗が前記第２のヒンジ軸に対する前記扉体の回転抵抗より大きい
ことを特徴とする請求項３記載の扉装置。
【請求項５】
前記シフト手段は、前記ヒンジの回動側ヒンジ部と前記扉体との間に介在されて、前記扉体の戸尻を前記シフト位置へシフトするように付勢するシフト用付勢体を有する
ことを特徴とする請求項３記載の扉装置。
【請求項６】
前記扉枠の戸当たり部に取り付けられたパッキングと、
前記扉体の戸尻寄り位置に連結されて前記扉体を閉鎖方向に引き込むクローザとを具備している
ことを特徴とする請求項３ないし５いずれか一記載の扉装置。
【請求項７】
前記パッキングは、環状に形成されている
ことを特徴とする請求項６記載の扉装置。
【請求項８】
前記ヒンジは、前記扉体の戸尻を前記シフト位置から元の非シフト位置に戻す方向に付勢するシフト戻し付勢体を有している
ことを特徴とする請求項２記載の扉装置。
【請求項９】
前記ヒンジの第１のヒンジ軸に対する前記扉体の回動抵抗が前記第２のヒンジ軸に対する前記扉体の回転抵抗より小さい
ことを特徴とする請求項２記載の扉装置。
【請求項１０】
前記ヒンジは、前記扉枠に取り付けられるとともにヒンジ軸孔が設けられた固定側ヒンジ部、および前記扉体の戸尻に取り付けられるとともに前記固定側ヒンジ部のヒンジ軸孔に回動可能に係合するヒンジ軸が突設された回動側ヒンジ部をそれぞれ有する上部ヒンジおよび下部ヒンジを備え、
前記下部ヒンジは、前記固定側ヒンジ部のヒンジ軸孔が前記扉枠の扉体収容凹部の外側へ向けて長い長孔に形成され、前記扉体の戸尻を前記シフト位置へシフト可能とする
ことを特徴とする請求項１記載の扉装置。
【請求項１１】
前記ヒンジは、前記扉枠に取り付けられるとともにヒンジ軸孔が設けられた固定側ヒンジ部、および前記扉体の戸尻に取り付けられるとともに前記固定側ヒンジ部のヒンジ軸孔に回動可能に係合するヒンジ軸が突設された回動側ヒンジ部を有する上部ヒンジおよび下部ヒンジを備え、前記上部ヒンジは、前記固定側ヒンジ部のヒンジ軸孔が前記シフト位置へ向けて長い長孔に形成され、前記扉体の戸尻を前記扉枠の扉体収容凹部の外側へシフト可能とし、
前記扉体の上部側に連結されて前記扉体を閉鎖方向に引き込むクローザを具備している
ことを特徴とする請求項１記載の扉装置。
【請求項１２】
前記扉体の戸先には、前記扉枠側に係合するラッチ錠およびデットボルト錠の少なくとも一方が設けられ、これらラッチ錠およびデットボルト錠の少なくとも一方が前記扉枠側に係合している状態で前記ヒンジによって前記扉体の戸尻が前記シフト位置へシフトするのを許容する
ことを特徴とする請求項１ないし１１いずれか一記載の扉装置。
【請求項１３】
前記扉枠に設けられ、前記扉体の戸尻が前記シフト位置へシフトした位置でその扉体収容凹部に収容されるのを規制する規制位置と前記扉体の戸尻が前記扉枠の扉体収容凹部に収容されるのを許容する退避位置との間で移動可能とするシフト部材を具備している
ことを特徴とする請求項１ないし１２いずれか一記載の扉装置。
【請求項１４】
前記クローザによって前記扉体を閉鎖する引き込み力で反発力が蓄積され、前記扉体の戸先側を開放方向に付勢する開放用付勢体を具備している
ことを特徴とする請求項６、７および１１いずれか一記載の扉装置。
【発明の詳細な説明】
【技術分野】
【０００１】
本発明は、開き戸である扉装置に関する。
【背景技術】
【０００２】
従来、開き戸では、扉枠が建物側に設置され、この扉枠に対してヒンジにより扉体が開閉可能に取り付けられている。
【０００３】
扉枠は、内側域に開口部を有し、一面側である戸開き側に開口して扉体が嵌り込んで収容される扉体収容凹部が形成され、この扉体収容凹部の他面側に閉じた扉体が当接する戸当たり部が形成されており、この戸当たり部には閉じた扉体が密着して気密性および遮音性を確保するパッキングが取り付けられている。
【０００４】
ヒンジは、扉枠および扉体の上下２箇所に設置され、扉枠に取り付けられる固定側ヒンジ部、扉体の戸尻に取り付けられる回動側ヒンジ部、およびこれら固定側ヒンジ部と回動側ヒンジ部とを回動可能に連結するヒンジ軸を有し、この１軸のヒンジ軸を支点として扉体の戸先側が回動するようにして開閉される（例えば、特許文献１参照。）。
【先行技術文献】
【特許文献】
【０００５】
【特許文献１】特開２００３−１３８８４９号公報（第２−３頁、図１）
【発明の概要】
【発明が解決しようとする課題】
【０００６】
しかしながら、扉体を閉じる際に、扉体の戸尻と扉枠の戸当たり部との間に指や物が挟まるおそれがある。
【０００７】
また、通風性を確保したい場合には、扉体の戸先が少し開いた状態となるように、扉体をつっかえ棒で支えたり、扉体と扉枠との間に物を挟み込む必要があり、扉体の開閉時につっかえ棒や物が外れてしまい、再度、通風性を確保する操作が必要となることがあり、しかも、扉体の戸先が開くために防犯上も好ましくない。
【０００８】
従来、扉装置では、扉体で戸枠のパッキングをつぶしてラッチを掛ける構造であるため、強い閉じ力を有するクローザが必要で、扉体を閉じる際のラッチングアクション（パタンと閉めること）が大きい問題などもある。
【０００９】
本発明は、このような点に鑑みなされたもので、扉体を閉じる際に、扉体の戸尻と扉枠の戸当たり部との間に指や物が挟まりにくくすることができるとともに強く挟まるのを防止でき、さらに、扉体の戸先が閉じた状態でも、通風性を確保することができる扉装置を提供することを目的とする。
【課題を解決するための手段】
【００１０】
請求項１記載の扉装置は、内側域に開口部を有し、一面側に開口する扉体収容凹部が形成されているとともにこの扉体収容凹部の他面側に戸当たり部が形成されている扉枠と、この扉枠の扉体収容凹部に収容されて前記扉枠の開口部を閉鎖する扉体と、前記扉枠に対して前記扉体の戸尻を回動可能に支持し、前記扉体の戸先が前記扉枠の扉体収容凹部に収容されている状態で前記扉体の戸尻が前記扉枠の扉体収容凹部の外側のシフト位置へシフトするのを許容するとともに、前記扉体の戸尻が前記シフト位置にある状態で前記扉体の戸先が前記扉枠の扉体収容凹部に対して開閉するのを許容するヒンジとを具備しているものである。
【００１１】
請求項２記載の扉装置は、請求項１記載の扉装置において、前記ヒンジは、前記扉枠に取り付けられる固定側ヒンジ部、および一端が前記固定側ヒンジ部に対して第１のヒンジ軸によって回動可能に支持されるとともに他端が前記扉体の戸尻に第２のヒンジ軸によって回動可能に支持される回動側ヒンジ部を有し、前記扉体の戸尻を前記シフト位置へシフト可能とするものである。
【００１２】
請求項３記載の扉装置は、請求項２記載の扉装置において、前記扉体を閉じるときには、前記扉体の戸尻を前記シフト位置へシフトさせておくシフト手段を具備しているものである。
【００１３】
請求項４記載の扉装置は、請求項３記載の扉装置において、前記シフト手段は、前記ヒンジの第１のヒンジ軸に対する前記扉体の回動抵抗が前記第２のヒンジ軸に対する前記扉体の回転抵抗より大きいものである。
【００１４】
請求項５記載の扉装置は、請求項３記載の扉装置において、前記シフト手段は、前記ヒンジの回動側ヒンジ部と前記扉体との間に介在されて、前記扉体の戸尻を前記シフト位置へシフトするように付勢するシフト用付勢体を有するものである。
【００１５】
請求項６記載の扉装置は、請求項３ないし５いずれか一記載の扉装置において、前記扉枠の戸当たり部に取り付けられたパッキングと、前記扉体の戸尻寄り位置に連結されて前記扉体を閉鎖方向に引き込むクローザとを具備しているものである。
【００１６】
請求項７記載の扉装置は、請求項６記載の扉装置において、前記パッキングは、環状に形成されているものである。
【００１７】
請求項８記載の扉装置は、請求項２記載の扉装置において、前記ヒンジは、前記扉体の戸尻を前記シフト位置から元の非シフト位置に戻す方向に付勢するシフト戻し付勢体を有しているものである。
【００１８】
請求項９記載の扉装置は、請求項２記載の扉装置において、前記ヒンジの第１のヒンジ軸に対する前記扉体の回動抵抗が前記第２のヒンジ軸に対する前記扉体の回転抵抗より小さいものである。
【００１９】
請求項１０記載の扉装置は、請求項１記載の扉装置において、前記ヒンジは、前記扉枠に取り付けられるとともにヒンジ軸孔が設けられた固定側ヒンジ部、および前記扉体の戸尻に取り付けられるとともに前記固定側ヒンジ部のヒンジ軸孔に回動可能に係合するヒンジ軸が突設された回動側ヒンジ部をそれぞれ有する上部ヒンジおよび下部ヒンジを備え、前記下部ヒンジは、前記固定側ヒンジ部のヒンジ軸孔が前記扉枠の扉体収容凹部の外側へ向けて長い長孔に形成され、前記扉体の戸尻を前記シフト位置へシフト可能とするものである。
【００２０】
請求項１１記載の扉装置は、請求項１記載の扉装置において、前記ヒンジは、前記扉枠に取り付けられるとともにヒンジ軸孔が設けられた固定側ヒンジ部、および前記扉体の戸尻に取り付けられるとともに前記固定側ヒンジ部のヒンジ軸孔に回動可能に係合するヒンジ軸が突設された回動側ヒンジ部を有する上部ヒンジおよび下部ヒンジを備え、前記上部ヒンジは、前記固定側ヒンジ部のヒンジ軸孔が前記シフト位置へ向けて長い長孔に形成され、前記扉体の戸尻を前記扉枠の扉体収容凹部の外側へシフト可能とし、前記扉体の上部側に連結されて前記扉体を閉鎖方向に引き込むクローザを具備しているものである。
【００２１】
請求項１２記載の扉装置は、請求項１ないし１１いずれか一記載の扉装置において、前記扉体の戸先には、前記扉枠側に係合するラッチ錠およびデットボルト錠の少なくとも一方が設けられ、これらラッチ錠およびデットボルト錠の少なくとも一方が前記扉枠側に係合している状態で前記ヒンジによって前記扉体の戸尻が前記シフト位置へシフトするのを許容するものである。
【００２２】
請求項１３記載の扉装置は、請求項１ないし１２いずれか一記載の扉装置において、前記扉枠に設けられ、前記扉体の戸尻が前記シフト位置へシフトした位置でその扉体収容凹部に収容されるのを規制する規制位置と前記扉体の戸尻が前記扉枠の扉体収容凹部に収容されるのを許容する退避位置との間で移動可能とするシフト部材を具備しているものである。
【００２３】
請求項１４記載の扉装置は、請求項６、７および１１いずれか一記載の扉装置において、前記クローザによって前記扉体を閉鎖する引き込み力で反発力が蓄積され、前記扉体の戸先側を開放方向に付勢する開放用付勢体を具備しているものである。
【発明の効果】
【００２４】
請求項１記載の扉装置によれば、ヒンジにより、扉枠に対して扉体の戸尻を回動可能に支持し、扉体の戸先が扉枠の扉体収容凹部に収容されている状態で扉体の戸尻が扉枠の扉体収容凹部の外側のシフト位置へシフトするのを許容するとともに、扉体の戸尻がシフト位置にある状態で扉体の戸先が扉枠の扉体収容凹部に対して開閉するのを許容するため、扉体を閉じる際に、扉体の戸尻と扉枠の戸当たり部との間に隙間を形成できて指や物が挟まりにくくすることができるとともに強く挟まるのを防止でき、また、扉体の戸先が閉じた状態でも、扉体の戸尻がシフト位置にシフトしていることにより、通風性を確保することができる。
【００２５】
請求項２記載の扉装置によれば、請求項１記載の扉装置の効果に加えて、２軸構造のヒンジにより、扉体の戸尻をシフト位置へ平行シフトさせることができる。
【００２６】
請求項３記載の扉装置によれば、請求項２記載の扉装置の効果に加えて、シフト手段により、扉体を閉じるときには、扉体の戸尻をシフト位置へ強制的にシフトさせておくことができ、挟まり防止および通風性の確保が確実にできる。
【００２７】
請求項４記載の扉装置によれば、請求項３記載の扉装置の効果に加えて、シフト手段として、ヒンジの第１のヒンジ軸に対する扉体の回動抵抗を第２のヒンジ軸に対する扉体の回転抵抗より大きくするため、扉体を閉じるときには、扉体の戸尻をシフト位置へ強制的にシフトさせることができる。
【００２８】
請求項５記載の扉装置によれば、請求項３記載の扉装置の効果に加えて、シフト手段として、ヒンジの回動側ヒンジ部と扉体との間に介在されて、扉体の戸尻をシフト位置へシフトするように付勢するシフト用付勢体を有するため、扉体を閉じるときには、扉体の戸尻をシフト位置へ強制的にシフトさせることができる。
【００２９】
請求項６記載の扉装置によれば、請求項３ないし５いずれか一記載の扉装置の効果に加えて、扉体を閉じるときには、まず、扉体の戸先が扉枠のパッキングに接触し、扉体の戸先のラッチ錠などで戸枠に係止される状態となることで、その扉体の戸先を支点として、扉体の戸尻寄り位置に連結されたクローザにより扉体の戸尻をシフト位置から扉枠のパッキングに接触する閉鎖位置に引き寄せることができるため、扉体と扉枠のパッキングとの密着性を高め、気密性および遮音性を高くでき、しかも、従来の扉装置では扉体でパッキングをつぶしてラッチを掛ける構造であるため、強い閉じ力を有するクローザが必要で、扉体を閉じる際のラッチングアクション（パタンと閉めること）が大きいが、そのようなクローザが必要なく、軽い操作力で扉体を静かに閉じることができる。また、扉体を開くときには、クローザの連結位置より離れている扉体の戸先を軽い操作力で開くことができる。
【００３０】
請求項７記載の扉装置によれば、請求項６記載の扉装置の効果に加えて、環状のパッキングを用いるため、気密性および遮音性をより高くすることができる。
【００３１】
請求項８記載の扉装置によれば、請求項２記載の扉装置の効果に加えて、ヒンジは、扉体の戸尻をシフト位置から元の非シフト位置に戻す方向に付勢するシフト戻し付勢体を有するため、扉体の戸尻がシフト位置へシフトするのを許容しながら、一般的な扉体と同様の開閉形態を採ることができる。
【００３２】
請求項９記載の扉装置によれば、請求項２記載の扉装置の効果に加えて、ヒンジの第１のヒンジ軸に対する扉体の回動抵抗が第２のヒンジ軸に対する扉体の回転抵抗より小さいため、扉体の戸尻をシフト位置に位置させた状態のまま、扉体を開閉することができる。
【００３３】
請求項１０記載の扉装置によれば、請求項１記載の扉装置の効果に加えて、ヒンジとして上部ヒンジおよび下部ヒンジを備え、下部ヒンジは、固定側ヒンジ部のヒンジ軸孔が扉枠の扉体収容凹部の外側へ向けて長い長孔に形成されているため、扉体の下部側をシフト位置へ傾斜シフトさせることができる。
【００３４】
請求項１１記載の扉装置によれば、請求項１記載の扉装置の効果に加えて、ヒンジとして上部ヒンジおよび下部ヒンジを備え、上部ヒンジは、固定側ヒンジ部のヒンジ軸孔がシフト位置へ向けて長い長孔に形成されているため、扉体の上部側を扉枠の扉体収容凹部の外側へ傾斜シフトさせることができ、扉体の上部側に連結されたクローザによってシフト位置にシフトしている扉体を確実に閉鎖できる。
【００３５】
請求項１２記載の扉装置によれば、請求項１ないし１１いずれか一記載の扉装置の効果に加えて、扉体の戸先には、扉枠側に係合するラッチ錠およびデットボルト錠の少なくとも一方が設けられ、これらラッチ錠およびデットボルト錠の少なくとも一方が扉枠側に係合している状態でヒンジによって扉体の戸尻がシフト位置へシフトするのを許容するため、防犯性を確保した上で通風性を確保できる。
【００３６】
請求項１３記載の扉装置によれば、請求項１ないし１２いずれか一記載の扉装置の効果に加えて、扉枠に設けたシフト部材を規制位置に移動させることにより、扉体の戸尻がシフト位置へシフトした位置でその扉体収容凹部に収容されるのを規制することができ、また、退避位置に移動させることにより、扉体の戸尻が扉枠の扉体収容凹部に収容されるのを許容することができ、扉体のシフト状態を容易に変更設定できる。
【００３７】
請求項１４記載の扉装置によれば、請求項６、７および１１いずれか一記載の扉装置の効果に加えて、クローザによって扉体を閉鎖する引き込み力で開放用付勢体に反発力が蓄積され、この開放用付勢体により扉体の戸先側を開放方向に付勢するため、扉体を開くときに、扉体の戸先を軽い力で開くことができる。
【図面の簡単な説明】
【００３８】
【図１】本発明の第１の実施の形態を示す扉装置の一部の断面図を示し、(a)は扉体の閉鎖位置の断面図、(b)は扉体のシフト位置の断面図、(c)は扉体の開放位置の断面図である。
【図２】同上扉装置の一部の斜視図である。
【図３】同上扉装置の一部を切り欠いた平面図である。
【図４】同上扉装置の戸開き方向に対して反対側から見た正面図である。
【図５】同上扉装置の一部を切り欠いた側面図である。
【図６】本発明の第２の実施の形態を示す扉装置を平面方向から見た説明図を示し、(a)は扉体の戸尻がシフト位置にある説明図、(b)は扉体の閉鎖位置の説明図である。
【図７】本発明の第３の実施の形態を示す扉装置の一部の断面図を示し、(a)は扉体の閉鎖位置の断面図、(b)は扉体の戸尻がシフト位置にある断面図、(c)は扉体の開放位置の断面図である。
【図８】同上扉装置の一部の斜視図である。
【図９】同上扉装置の扉体のシフトを説明する説明図である。
【図１０】同上扉装置の扉体のシフトを説明する説明図である。
【図１１】本発明の第４の実施の形態を示す扉装置の一部の斜視図である。
【図１２】同上扉装置の扉体のシフトを説明する説明図である。
【図１３】同上扉装置の扉体のシフトを説明する説明図である。
【発明を実施するための形態】
【００３９】
以下、本発明の実施の形態を、図面を参照して説明する。
【００４０】
まず、図１ないし図５に第１の実施の形態を示す。
【００４１】
扉装置11は、建物側に設置される扉枠12、この扉枠12に対して開閉可能な扉体13、この扉体13を扉枠12に対して開閉可能に支持するヒンジ14、および扉体13を閉じる方向に引き込むクローザ15を備えている。以下、扉装置11の一面側を扉体13が開く戸開き側Ａとし、扉装置11の他面側を反戸開き側Ｂとして説明する。
【００４２】
扉枠12は、幅方向一側の側枠部18、他側の側枠部19、天井側の天枠部20および床側の床枠部21を有する縦長の四角形枠状に形成され、これら枠部18〜21の内側域に人や物が出入り可能とする開口部22が形成されている。
【００４３】
扉枠12の開口部22に臨む内周面には、戸開き側Ａに開口して扉体13が嵌め込み収容される扉体収容凹部23が形成されているとともに、この扉体収容凹部23より反戸開き側Ｂに閉じた扉体13が当たる戸当たり部24が形成されている。戸当たり部24の扉体収容凹部23に臨む面には、閉じた扉体13の周辺部が密着するパッキング25が突出した状態に取り付けられている。
【００４４】
また、扉体13は、扉枠12の開口部22の横幅寸法および高さ寸法より大きく、かつ扉枠12の扉体収容凹部23の部分の開口域の横幅寸法および高さ寸法より小さく形成されている。なお、ヒンジ14で支持される扉体13の一側を戸尻13aとし、回動開閉される扉体13の他側を戸先13bという。
【００４５】
扉体13の戸尻13a側の側端面にはヒンジ14を取り付けるためのヒンジ取付凹部28が形成され、扉体13の戸先13b側の側端面には扉枠12の側枠部19に取り付けられている図示しないストライクに係脱可能とするラッチ錠29が突出されている。ラッチ錠29がストライクに係止された状態で、扉体13が扉枠12に閉じた状態が維持される。扉体13の戸先13b側には、扉体13の戸開き側Ａの一面である外面13cと反戸開き側Ｂの他面である内面13dとの両面に、扉枠12の側枠部19のストライクに係止されているラッチ錠29を扉体13内に引き込んでストライクから外すハンドル30が回動操作可能に取り付けられている。なお、扉装置11が玄関用などの用途の場合には、扉体13に鍵機構が設置され、この鍵機構のデットボルトが扉体13の戸先13b側の側端面から出没して扉枠12の側枠部19のストライクに係脱される。
【００４６】
また、ヒンジ14は、上部ヒンジ33および下部ヒンジ34を有し、これら上部ヒンジ33および下部ヒンジ34が、扉枠12に取り付けられる固定側ヒンジ部35、および一端が固定側ヒンジ部35に対して第１のヒンジ軸36によって回動可能に支持されるとともに他端が扉体13の戸尻13aに第２のヒンジ軸37によって回動可能に支持される回動側ヒンジ部38を有している。
【００４７】
各固定側ヒンジ部35は、先端側が扉枠12の側枠部18の戸開き側Ａの面より外側に突出し、その先端に回動側ヒンジ部38を回動可能に支持する第１のヒンジ軸36が上方へ突設されている。
【００４８】
各回動側ヒンジ部38は、扉体13に対して一体的に取り付けられるヒンジユニット39に組み込まれている。このヒンジユニット39は、扉体13のヒンジ取付凹部28に埋め込まれて取り付けられる取付ケース40を有し、この取付ケース40内に第２のヒンジ軸37によって支持部材41が揺動可能に支持され、この支持部材41の上下部に回動側ヒンジ部38が一体に形成されている。各回動側ヒンジ部38は、取付ケース40に形成された窓孔42から突出するベース部材43と、このベース部材43に取り付けられて固定側ヒンジ部35の第１のヒンジ軸36に回動可能に支持される軸受部材44とで構成されている。したがって、各回動側ヒンジ部38は、ベース部材43および軸受部材44によって、扉体13の戸尻13aの側端面から突出する先端側が扉体13の外面13cより外側に突出するように平面視断面略Ｌ字形に形成されている。なお、ベース部材43と軸受部材44とは一体に形成してもよい。
【００４９】
取付ケース40の内部空間および窓孔42は、回動側ヒンジ部38が第２のヒンジ軸37を支点として相対的に揺動するのを許容する寸法に形成されている。取付ケース40内には、相対的に揺動する回動側ヒンジ部38が取付ケース40と直接衝突するのを防止する例えばゴムなどの緩衝体45が配置されている。
【００５０】
そして、ヒンジ14は、扉枠12に対して第１のヒンジ軸36を支点として扉体13が回動開閉するように支持し、また、扉体13の戸先13bが扉枠12の扉体収容凹部23に収容されてラッチ錠29が扉枠12の側枠部19のストライクに係止している状態で、扉体13の戸尻13aも扉枠12の扉体収容凹部23に収容されている閉鎖位置である非シフト位置S1（図１(a)に示す位置）と、扉枠12に対して第１のヒンジ軸36および第２のヒンジ軸37との２軸の作用によって、扉体13の戸尻13aが扉枠12の扉体収容凹部23の外側へシフトするシフト位置S2（図１(b)に示す位置）との間で、平行移動（平行シフト）するのを許容する。さらに、扉体13の戸尻13aがシフト位置S2にある状態で、扉体13の戸先13bが扉枠12の扉体収容凹部23に対して開閉移動するのを許容する。なお、扉体13が非シフト位置S1からシフト位置S2にシフトすると、扉体13が戸先13b側に少し移動するが、戸枠12の扉体収容凹部23の幅が広いために、扉体13が戸先13bが戸枠12の側枠部19に当たらず、開閉もできる。
【００５１】
扉体13を閉じるときには、扉体13の戸尻13aをシフト位置S2へシフトさせておくシフト手段46を備えている。このシフト手段46としては、ヒンジ14の回動側ヒンジ部38と扉体13との間に介在されて、扉体13の戸尻13aをシフト位置S2へシフトするように付勢するシフト用付勢体としてのねじりばね47が用いられている。なお、シフト手段46としては、ヒンジ14の第１のヒンジ軸36に対する扉体13の回動抵抗を第２のヒンジ軸37に対する扉体13の回転抵抗より大きくすることでも、扉体13を閉じるときには、扉体13の戸尻13aをシフト位置S2へシフトさせておくことができる。なお、このねじりばね47の付勢力は、クローザ15の引き込み力より小さい。
【００５２】
また、クローザ15は、クローザ本体50が扉枠12の天枠部20の反戸開き側Ｂの面で扉体13の戸尻寄り位置に対応して取り付けられ、このクローザ本体50にリンク51が連結され、このリンクの先端にリンク52が回動可能に連結され、このリンク52の先端が扉体13の内面13dで戸尻寄り位置に取り付けられた連結部材53に回転可能に連結されている。そして、クローザ15により、扉体13の戸尻寄り位置を扉枠12に閉じる方向に引き込む。
【００５３】
また、扉枠12の側枠部18の内周面で上下方向中間位置には、シフト部材57が支軸58を中心として回動操作可能に取り付けられている。このシフト部材57は、戸開き側Ａに倒した位置を、扉体13の戸尻13aがシフト位置S2へシフトした位置でその扉体収容凹部23に収容されるのを規制する規制位置（図１(b)(c)および図２の２点鎖線位置）とし、また、反戸開き側Ｂへ回動させて立ち上げた位置を、扉体13の戸尻13aが扉枠12の扉体収容凹部23に収容されるのを許容する退避位置（図１(a)および図２の実線位置）としている。
【００５４】
また、クローザ15によって扉体13を扉枠12に閉じる引き込み力の一部で反発力が蓄積され、扉体13の戸先13b側を開放方向に付勢する開放用付勢体としての圧縮ばね61を備えている。この圧縮ばね61は、クローザ15が連結された扉体13の位置より戸先13b側であって扉体13の幅方向中間部に対応して、扉枠12の天枠部20に配置されている。なお、圧縮ばね61の反発力はクローザ15による扉体13の引き込み力より弱く設定され、クローザ15による引き込み力によって扉体13が扉枠12に確実に閉じるように構成されている。
【００５５】
次に、第１の実施の形態の扉装置11の動作を説明する。
【００５６】
図１(a)、図３ないし図５に示すように、扉体13が扉枠12に閉じている閉鎖状態では、扉体13の戸先13bのラッチ錠29が扉枠12の側枠部19のストライクに係止され、扉体13の戸尻13aがクローザ15の引き込み力によって非シフト位置S1に引き込まれ、扉体13の全体が扉枠12の扉体収容凹部23に収容されているとともに扉体13の内面13dの周辺部が扉枠12の戸当たり部24のパッキング25を押し潰した状態でそのパッキング25に密着されている。また、扉体13が閉じられた際に、圧縮ばね61に扉体13の戸開き側Ａへ向けた反発力が蓄積されている。また、シフト部材57は、反戸開き側Ｂへ回動させて立ち上げた退避位置とし、扉体13の戸尻13aが扉枠12の扉体収容凹部23に収容されるのを許容している。
【００５７】
そして、閉じている扉体13を開く場合には、ハンドル30を操作し、ラッチ錠29が扉枠12の側枠部19のストライクから外れると、圧縮ばね61の反発力により扉体13の戸先13bがヒンジ14で支持された扉体13の戸尻13a側を支点として戸開き側Ａへ自動的に移動して少し開く。なお、圧縮ばね61によって必ずしも扉体13が自動で開くのではなく、扉体13を開けようとしたときのアシスト力として働く程度のものであってもよい。
【００５８】
さらに、扉体13の戸先13b側を戸開き側Ａに押動操作することにより、図１(c)に示すように、扉体13の戸先13bがヒンジ14の第１のヒンジ軸36を支点として戸開き側Ａに大きく回動開放される。これにより、扉枠12の開口部22が開放され、人や物の出入りが可能となる。
【００５９】
また、開いた扉体13を閉じる場合には、戸開き側Ａへの扉体13の押動操作を解除することにより、クローザ15の引き込み力によって扉体13を扉枠12に閉じる方向に引き込んで自動的に回動閉鎖していく。
【００６０】
このクローザ15によって扉体13を引き込むとき、ヒンジ14の第２のヒンジ軸37に装着されているシフト手段46としてのねじりばね47により、ヒンジ14の回動側ヒンジ部38と扉体13とがシフト位置S2の関係となるように強制的に移動させるとともに移動後にはそのシフト位置S2の関係を保持する。
【００６１】
このようにヒンジ14の回動側ヒンジ部38と扉体13とがシフト位置S2の関係にあるため、扉体13が閉じる際には、まず、扉体13の戸先13bが扉枠12の扉体収容凹部23に侵入し、扉枠12の側枠部19のパッキング25の部分を押し潰して止まるとともに、ラッチ錠29が扉枠12の側枠部19のストライクに係止される。この状態では、図１(b)に示すように、扉体13の戸尻13aが扉枠12の扉体収容凹部23の外側へシフトしているシフト位置S2にある。なお、図１(b)では、シフト部材57が戸開き側Ａに倒した規制位置にあるが、ここの説明では、図１(a)のように、シフト部材57が反戸開き側Ｂへ回動して立ち上がった退避位置にあり、扉体13の戸尻13aが扉枠12の扉体収容凹部23に収容されるのを許容しているものとする。
【００６２】
続いて、クローザ15の引き込み力によって、扉体13の戸尻13aが扉枠12の扉体収容凹部23に侵入して非シフト位置S1に引き込まれ、扉体13の全体が扉枠12の扉体収容凹部23に収容されるとともに扉体13の内面13dの周辺部全体が扉枠12のパッキング25を押し潰した状態でそのパッキング25に密着される。また、この扉体13が閉じられる際に、扉体13が圧縮ばね61に当接し、クローザ15の引き込み力の一部によって、圧縮ばね61を圧縮してこの圧縮ばね61に扉体13の戸開き側Ａへ向けた反発力を蓄積させる。
【００６３】
したがって、扉体13が閉じる際、まず、扉体13の戸先13bが扉枠12に閉じたときには、扉体13の戸尻13aがシフト位置S2にあって、扉体13の戸尻13aと扉枠12の側枠部18の戸当たり部24との間に隙間64が形成されるため、その隙間64に指や物が挟まりかけたときでも、挟まれる前にその隙間64から指や物を抜きやすくできる。
【００６４】
さらに、扉体13が閉じる際、まず、扉体13の戸先13bが扉枠12に閉じることにより、その扉体13の戸先13bを支点として、扉体13の戸尻寄り位置に連結されたクローザ15により扉体13の戸尻13aをシフト位置S2から扉枠12のパッキング25に接触する非シフト位置S1に引き寄せることになるため、つまり、扉体13の戸尻13aを扉枠12の戸当たり部24の正面側から略平行に近付くような動きになるため、このときの扉体13の戸尻13aと扉枠12の側枠部18の戸当たり部24との間における挟み込み力は、従来の１軸のヒンジの場合のようなてこの原理で発生する強い挟み込み力に比べて弱くでき、仮に指や物を挟み込んでも大事には至らない。
【００６５】
また、扉体13を開いた際に、シフト部材57を戸開き側Ａに倒した規制位置（図１(b)(c)および図２の２点鎖線位置）としておくことにより、扉体13を閉じる際、扉体13の戸先13bが扉枠12の扉体収容凹部23に侵入し、扉枠12の側枠部19のパッキング25の部分を押し潰して止まるとともに、ラッチ錠29が扉枠12の側枠部19のストライクに係止された後、扉体13の戸尻13aがシフト部材57に当接し、扉体13の戸尻13aが扉枠12の扉体収容凹部23に収容されるのを規制し、つまり扉体13の戸尻13aをシフト位置S2に保持する。これにより、扉体13の戸尻13aと扉枠12との間に戸開き側Ａと反戸開き側Ｂとに連通する隙間64が形成されるため、通風性が確保される。なお、扉体13が閉じている状態でも、クローザ15の引き込み力に抗して扉体13の戸尻13aを非シフト位置S1からシフト位置S2にシフトさせ、シフト部材57を戸開き側Ａに倒した規制位置に位置させることもできる。
【００６６】
このように、扉装置11によれば、ヒンジ14により、扉枠12に対して扉体13の戸尻13aを回動可能に支持し、扉体13の戸先13bが扉枠12の扉体収容凹部23に収容されている状態で扉体13の戸尻13aがシフト位置S2へシフトするのを許容するとともに、扉体13の戸尻13aがシフト位置S2にある状態で扉体13の戸先13bが扉枠12の扉体収容凹部23に対して開閉するのを許容するため、扉体13を閉じる際に、扉体13の戸尻13aと扉枠12の戸当たり部24との間に隙間64を形成できて指や物が挟まりにくくすることができるとともに強く挟まるのを防止でき、また、扉体13の戸先13bが閉じた状態でも、扉体13の戸尻13aがシフト位置S2にシフトしていることにより、通風性を確保することができる。
【００６７】
また、第１のヒンジ軸36および第２のヒンジ軸37を有する２軸構造のヒンジ14により、扉体13の戸尻13aをシフト位置S2へ平行シフトさせることができる。
【００６８】
また、シフト手段46により、扉体13を閉じるときには、扉体13の戸尻13aをシフト位置S2へ強制的にシフトさせておくことができ、挟まり防止および通風性の確保が確実にできる。このシフト手段46として、ヒンジ14の回動側ヒンジ部38と扉体13との間に介在されて、扉体13の戸尻13aをシフト位置S2へシフトするように付勢するシフト用付勢体としてのねじりばね47を有するため、扉体13を閉じるときには、扉体13の戸尻13aをシフト位置S2へ強制的にシフトさせることができる。なお、シフト手段46として、ヒンジ14の第１のヒンジ軸36に対する扉体13の回動抵抗を第２のヒンジ軸37に対する扉体13の回転抵抗より大きくすることによっても、扉体13を閉じるときには、扉体13の戸尻13aをシフト位置S2へ強制的にシフトさせることができる。
【００６９】
また、扉体13を閉じるときには、まず、扉体13の戸先13bが扉枠12のパッキング25に接触し、扉体13の戸先13bのラッチ錠29で扉枠12に係止される状態となることで、その扉体13の戸先13bを支点として、扉体13の戸尻寄り位置に連結されたクローザ15により扉体13の戸尻13aをシフト位置S2から扉枠12のパッキング25に接触する非シフト位置S1に引き寄せて閉鎖することができるため、扉体13と扉枠12のパッキング25との密着性を高め、気密性および遮音性を高くでき、また、扉体13を開くときには、クローザ15の連結位置より離れている扉体13の戸先13bを軽い力で開くことができる。なお、扉体13におけるクローザ15の連結位置とクローザ15の引き込み力を調整すれば、戸先13bの操作力は変えずに、戸尻13aの引き込み力を強くすることができる。
【００７０】
さらに、クローザ15によって扉体13を閉鎖する引き込み力で開放用付勢体としての圧縮ばね61に反発力が蓄積され、この圧縮ばね61により扉体13の戸先13b側を開放方向に付勢するため、扉体13を開くときに、扉体13の戸先13bを軽い力で開くことができる。
【００７１】
また、扉体13の戸先13bには、扉枠12側に係合するラッチ錠29が設けられ、これらラッチ錠29が扉枠12側に係合している状態でヒンジ14によって扉体13の戸尻13aがシフト位置S2へシフトするのを許容するため、防犯性を確保した上で通風性を確保できる。
【００７２】
しかも、従来の扉装置では扉体でパッキングをつぶしてラッチを掛ける構造であるため、強い閉じ力を有するクローザが必要で、扉体を閉じる際のラッチングアクション（パタンと閉めること）が大きいが、そのようなクローザが必要なく、軽い操作力で扉体13を静かに閉じることができる。
【００７３】
なお、例えば玄関用として、扉体13の戸先13bに、扉枠12側に係合して施錠するデットボルト錠が設けられる場合にも、このデットボルト錠が扉枠12側に係合している状態でヒンジ14によって扉体13の戸尻13aがシフト位置S2へシフトするのを許容するため、防犯性を確保した上で通風性を確保できる。
【００７４】
また、扉枠12に設けたシフト部材57を規制位置に移動させることにより、扉体13の戸尻13aがシフト位置S2へシフトした位置でその扉体収容凹部23に収容されるのを規制することができ、また、退避位置に移動させることにより、扉体13の戸尻13aが扉枠12の扉体収容凹部23に収容されるのを許容することができ、扉体13のシフト状態を容易に変更設定できる。
【００７５】
なお、第１の実施の形態において、シフト手段46を設けず、ヒンジ14の第１のヒンジ軸36に対する扉体13の回動抵抗を第２のヒンジ軸37に対する扉体13の回転抵抗より小さくすることにより、扉体13の戸尻13aをシフト位置S2または非シフト位置S1に位置させた状態のまま、扉体13を開閉することができる。この場合には、扉体13の少なくとも内面13dに取手を設け、扉体13が閉じている状態で取手によって扉体13の戸尻13aをシフト位置S2または非シフト位置S1に移動させるようにすればよい。また、この場合には、クローザ15は設けなくてもよい。そして、この場合にも、扉体13の戸尻13aをシフト位置S2に移動させておけば、扉体13の閉じた際に扉体13の戸尻13aと扉枠12との間に隙間64が形成され、挟み込みを防止できるとともに通風性を確保できる。また、扉体13の戸尻13aを非シフト位置S1に移動させた状態で、扉体13の閉じた際に、扉体13の戸尻13aと扉枠12との間に指や物が挟まりかけても、扉体13の戸尻13aがシフト位置S2へシフトすることにより、強く挟み込むことはなく、大事には至らない。
【００７６】
また、第１の実施の形態において、シフト手段46を設けず、ヒンジ14に、扉体13の戸尻13aをシフト位置S2から元の非シフト位置S1に戻す方向に付勢するシフト戻し付勢体を設けてもよい。このシフト戻し付勢体は、第１の実施の形態のシフト用付勢体としてのねじりばね47に代えて、扉体13の戸尻13aをシフト位置S2から元の非シフト位置S1に戻す方向に付勢するねじりばねで構成すればよい。これにより、扉体13の戸尻13aがシフト位置S2へシフトするのを許容しながら、一般的な扉体と同様の開閉形態を採ることができる。この場合、クローザ15は設けなくても、扉体13の戸尻13aを扉枠12に閉じることができる。
【００７７】
次に、図６に第２の実施の形態を示す。なお、第１の実施の形態と同様の構成については同一符号を用いてその説明を省略する。
【００７８】
パッキング25として、扉枠12に沿って環状で、内部に空気が封入された密閉空間25aを有するチューブ状パッキングを用いる。
【００７９】
そして、図６(a)に示すように、扉体13を閉じる際、ヒンジ14の回動側ヒンジ部38と扉体13とがシフト位置S2の関係にあることにより、まず、扉体13の戸先13bが扉枠12の扉体収容凹部23に侵入し、扉枠12の側枠部19のパッキング25の部分の密閉空間25aを押し潰して止まるとともに、ラッチ錠29が扉枠12の側枠部19のストライクに係止される。このとき、扉枠12の側枠部19のパッキング25の部分の密閉空間25aを押し潰されることで、密閉空間25aの空気が扉枠12の側枠部18側に逃げるので、パッキング25の反発力が小さく、ラッチ錠29が扉枠12の側枠部19のストライクに軽くかつ静かに係止することができる。
【００８０】
図６(b)に示すように、続いて、クローザ15の引き込み力によって、扉体13の戸尻13aが扉枠12の扉体収容凹部23に侵入して非シフト位置S1に引き込まれ、扉体13の全体が扉枠12の扉体収容凹部23に収容されるとともに扉体13の内面13dの周辺部が扉枠12のパッキング25を押し潰した状態でその環状のパッキング25に密着される。この状態で、環状のパッキング25が均一に押し潰されて密閉空間25aの全体に空気が均一に行き渡り、環状のパッキング25の全周が扉体13に均一に圧接し、気密性および遮音性を確保できる。さらに、扉体13のがたつきを抑制できるとともに、扉体13に反りや歪みが生じていても、それに対してパッキング25が追従するため、気密性および遮音性を確実に確保できる。
【００８１】
次に、図７ないし図１０に第３の実施の形態を示す。なお、第１の実施の形態と同様の構成については同一符号を用いてその説明を省略する。
【００８２】
ヒンジ14として上部ヒンジ33および下部ヒンジ34を備える。これら上部ヒンジ33および下部ヒンジ34は、扉枠12に取り付けられるとともにヒンジ軸孔35aが設けられた固定側ヒンジ部35、および扉体13の戸尻13aに取り付けられるとともに固定側ヒンジ部35のヒンジ軸孔35aに回動可能に係合するヒンジ軸38aが下方へ向けて突設された回動側ヒンジ部38を有している。
【００８３】
上部ヒンジ33は、一般的な１軸のヒンジ構造となっている。
【００８４】
下部ヒンジ34は、固定側ヒンジ部35のヒンジ軸孔35aが扉枠12の扉体収容凹部23の外側へ向けて長い長孔35bに形成されている。
【００８５】
そして、ヒンジ14の上部ヒンジ33および下部ヒンジ34は、扉体13の戸先13bが扉枠12の扉体収容凹部23に収容されている状態で、下部ヒンジ34の回動側ヒンジ部38のヒンジ軸38aが固定側ヒンジ部35の長孔35b内における扉枠12側に寄った位置に位置していることにより、扉体13の全体が扉枠12の扉体収容凹部23に収容される閉鎖位置である非シフト位置S1（図７(a)に示す位置）と、下部ヒンジ34の回動側ヒンジ部38のヒンジ軸38aが固定側ヒンジ部35の長孔35b内における扉枠12側から離反した外側域に移動することにより、扉体13の下部側が扉枠12の扉体収容凹部23の外側へシフトするシフト位置S2（図７(b)に示す位置）との間で、傾斜移動（傾斜シフト）するのを許容する。さらに、扉体13の下部側がシフト位置S2にある状態で、扉体13の戸先13bが扉枠12の扉体収容凹部23に対して開閉移動するのを許容する。
【００８６】
また、シフト部材57は、扉枠12の側枠部18の下部側に配設されている。
【００８７】
扉体13を開くために、扉体13の内面13dには押しプレート71が取り付けられ、外面13cには取手72が取り付けられる。
【００８８】
なお、ラッチ錠29は、図示していないが、扉体13の下部側のシフトに影響がないように扉体13の上部側に配設されている。
【００８９】
また、クローザ15を図示してないが、第１の実施の形態と同様に備えていてもよいし、あるいは無くてもよい。
【００９０】
次に、第３の実施の形態の扉装置11の動作を説明する。
【００９１】
図７(a)に示すように、シフト部材57を使用しない場合には、シフト部材57を反戸開き側Ｂへ回動させて立ち上げた退避位置としておく。下部ヒンジ34では、扉体13の自重により、回動側ヒンジ部38のヒンジ軸38aが固定側ヒンジ部35の長孔35b内における扉枠12側に寄った位置に位置しており、扉体13の下部側が非シフト位置S1に保たれる。そのため、一般的な扉体の開閉形態と同様に、扉枠12に対して上部ヒンジ33および下部ヒンジ34のヒンジ軸38aを支点として扉体13が回動開閉される。
【００９２】
図７(b)(c)に示すように、シフト部材57を使用する場合には、扉体13が開いた状態で、シフト部材57を戸開き側Ａに倒した規制位置とすることにより、扉体13を閉じる際、扉体13の下部側がシフト部材57に当接し、扉体13の下部側が扉枠12の扉体収容凹部23に収容されるのを規制し、つまり扉体13の下部側をシフト位置S2に保持する。
【００９３】
これにより、扉体13の下部側と扉枠12との間に戸開き側Ａと反戸開き側Ｂとに連通する隙間64が形成されるため、通風性が確保される。なお、扉体13が閉じている状態でも、扉体13の下部側を非シフト位置S1からシフト位置S2にシフトさせ、シフト部材57を戸開き側Ａに倒した規制位置に位置させることもできる。
【００９４】
また、扉体13の下部側のシフトを解除するには、扉体13を開き、シフト部材57を反戸開き側Ｂへ回動させて立ち上げた退避位置とし、扉体13を閉じることにより、この扉体13の開閉動作に伴い、かつ扉体13の自重により、回動側ヒンジ部38のヒンジ軸38aが固定側ヒンジ部35の長孔35b内における扉枠12側に寄った位置に移動し、シフトを解除する。
【００９５】
このように、扉装置11では、ヒンジ14として上部ヒンジ33および下部ヒンジ34を備え、下部ヒンジ34は、固定側ヒンジ部35のヒンジ軸孔35aが扉枠12の扉体収容凹部23の外側へ向けて長い長孔35bに形成されているため、扉体13の下部側をシフト位置S2へ傾斜シフトさせることができる。
【００９６】
そのため、扉体13を閉じる際に、扉体13の下部側と扉枠12の戸当たり部24との間に隙間64を形成できて指や物が挟まりにくくすることができるとともに強く挟まるのを防止でき、また、扉体13の戸先13bが閉じた状態でも、扉体13の下部側がシフト位置S2にシフトしていることにより、隙間64を通じて通風性を確保することができる。
【００９７】
次に、図１１ないし図１３に第４の実施の形態を示す。なお、第１および第３の実施の形態と同様の構成については同一符号を用いてその説明を省略する。
【００９８】
ヒンジ14として上部ヒンジ33および下部ヒンジ34を備える。これら上部ヒンジ33および下部ヒンジ34は、扉枠12に取り付けられるとともにヒンジ軸孔35aが設けられた固定側ヒンジ部35、および扉体13の戸尻13aに取り付けられるとともに固定側ヒンジ部35のヒンジ軸孔35aに回動可能に係合するヒンジ軸38aが下方へ向けて突設された回動側ヒンジ部38を有している。
【００９９】
上部ヒンジ33は、固定側ヒンジ部35のヒンジ軸孔35aが扉枠12の扉体収容凹部23の外側へ向けて長い長孔35bに形成されている。
【０１００】
下部ヒンジ34は、一般的な１軸のヒンジ構造となっている。
【０１０１】
そして、ヒンジ14の上部ヒンジ33および下部ヒンジ34は、扉体13の戸先13bが扉枠12の扉体収容凹部23に収容されてラッチ錠29が扉枠12の側枠部19のストライクに係止している状態で、上部ヒンジ33の回動側ヒンジ部38のヒンジ軸38aが固定側ヒンジ部35の長孔35b内における扉枠12側に寄った位置に位置していることにより、扉体13の全体が扉枠12の扉体収容凹部23に収容される閉鎖位置である非シフト位置S1と、上部ヒンジ33の回動側ヒンジ部38のヒンジ軸38aが固定側ヒンジ部35の長孔35b内における扉枠12側から離反した外側域に移動することにより、扉体13の上部側が扉枠12の扉体収容凹部23の外側へシフトするシフト位置S2との間で、傾斜移動（傾斜シフト）するのを許容する。さらに、扉体13の上部側がシフト位置S2にある状態で、扉体13の戸先13bが扉枠12の扉体収容凹部23に対して開閉移動するのを許容する。
【０１０２】
また、ラッチ錠29は、扉体13の上部側のシフトに影響がないように、扉体13の下部側に配設されている。
【０１０３】
また、シフト部材57は、扉枠12の側枠部18の上部側に配設されている。
【０１０４】
次に、第４の実施の形態の扉装置11の動作を説明する。
【０１０５】
扉体13が閉じている閉鎖状態では、扉体13の戸尻13aの上部側がクローザ15（図示していないが、第１の実施の形態と同様である）の引き込み力によって非シフト位置S1に引き込まれ、扉体13の全体が扉枠12の扉体収容凹部23に収容されている。また、シフト部材57は、反戸開き側Ｂへ回動して立ち上げた退避位置とし、扉体13の戸尻13aが扉枠12の扉体収容凹部23に収容されるのを許容している。
【０１０６】
扉体13を開くと、扉体13の自重により、上部ヒンジ33の回動側ヒンジ部38のヒンジ軸38aが固定側ヒンジ部35の長孔35b内における扉枠12側から離反した外側域に移動し、扉体13の上部側が自動的にシフト位置S2となる。
【０１０７】
扉体13を閉じる際には、クローザ15の引き込み力によって扉体13を扉枠12に閉じる方向に引き込んで自動的に回動閉鎖していく。このとき、扉体13の上部側がシフト位置S2にあるため、扉体13が閉じる際には、まず、扉体13の下部側が扉枠12の扉体収容凹部23に侵入し、扉枠12の底枠部21のパッキング25の部分を押し潰して止まるとともに、ラッチ錠29が扉枠12の側枠部19のストライクに係止される。
【０１０８】
続いて、クローザ15の引き込み力によって、扉体13の上部側が扉枠12の扉体収容凹部23に侵入して非シフト位置S1に引き込まれ、扉体13の全体が扉枠12の扉体収容凹部23に収容されるとともに扉体13の内面13dの周辺部全体が扉枠12のパッキング25を押し潰した状態でそのパッキング25に密着される。
【０１０９】
したがって、扉体13が閉じる際、まず、扉体13の下部側が扉枠12に閉じたときには、扉体13の上部側がシフト位置S2にあって、扉体13の上部側と扉枠12の戸当たり部24との間に隙間64が形成されるため、その隙間64に指や物が挟まりかけたときでも、挟まれる前にその隙間64から指や物を抜きやすくできる。
【０１１０】
また、シフト部材57を使用する場合には、扉体13が開いた状態で、シフト部材57を戸開き側Ａに倒した規制位置とすることにより、扉体13を閉じる際、扉体13の上部側がシフト部材57に当接し、扉体13の上部側が扉枠12の扉体収容凹部23に収容されるのを規制し、つまり扉体13の上部側をシフト位置S2に保持する。これにより、扉体13の上部側と扉枠12との間に戸開き側Ａと反戸開き側Ｂとに連通する隙間64が形成されるため、通風性が確保される。
【０１１１】
また、扉体13の上部側のシフトを解除するには、扉体13を開き、シフト部材57を反戸開き側Ｂへ回動させて立ち上げた退避位置とし、扉体13を閉じることにより、クローザ15の引き込み力によって、扉体13の上部側も含む全体を扉枠12に引き込み、シフトを解除する。
【０１１２】
このように、扉装置11では、ヒンジ14として上部ヒンジ33および下部ヒンジ34を備え、上部ヒンジ33は、固定側ヒンジ部35のヒンジ軸孔35aがシフト位置S2へ向けて長い長孔35bに形成されているため、扉体13の上部側を扉枠12の扉体収容凹部23の外側へ傾斜シフトさせることができ、扉体13に連結されたクローザ15によってシフト位置S2にシフトしている扉体13を確実に閉鎖できる。
【符号の説明】
【０１１３】
11    扉装置
12    扉枠
13    扉体
13a   戸尻
13b   戸先
14    ヒンジ
15    クローザ
22    開口部
23    扉体収容凹部
24    戸当たり部
25    パッキング
29    ラッチ錠
33    上部ヒンジ
34    下部ヒンジ
35    固定側ヒンジ部
35a   ヒンジ軸孔
35b   長孔
36    第１のヒンジ軸
37    第２のヒンジ軸
38    回動側ヒンジ部
38a   ヒンジ軸
46    シフト手段
47    シフト用付勢体としてのねじりばね
57    シフト部材
61    開放用付勢体としての圧縮ばね
S2    シフト位置
【図１】
2011038309.tif 000003
【図２】
2011038309.tif 000004
【図３】
2011038309.tif 000005
【図４】
2011038309.tif 000006
【図５】
2011038309.tif 000007
【図６】
2011038309.tif 000008
【図７】
2011038309.tif 000009
【図８】
2011038309.tif 000010
【図９】
2011038309.tif 000011
【図１０】
2011038309.tif 000012
【図１１】
2011038309.tif 000013
【図１２】
2011038309.tif 000014
【図１３】
2011038309.tif 000015